(57)【特許請求の範囲】
【請求項１】
鏡筒を保持する鏡筒保持用治具であって、
前記鏡筒は、円筒形状の外周にＮ個（Ｎ≧３）の突起を有するものであり、
前記突起は、前記外周に、３６０°／Ｎの角度に、離間して配置され、
鏡筒の端部を載置するベースと、
このベースに設けられ、前記突起に係止する２個の係止部と、
この２個の係止部は、前記突起に係止するように、前記ベース上に、３６０°／Ｎの角度に、離間して配置され、
前記突起に係止する前記２個の係止部の部位は、それぞれ、下面であって、外方に向かって上り勾配となる傾斜面である
ことを特徴とする鏡筒保持用治具。    
【請求項２】
２個の係止部の内、少なくとも、一方の係止部は、取り外し自在な固定手段によりベースに取り付けられる
ことを特徴とする請求項１記載の鏡筒保持用治具。
【請求項３】
２個の係止部の内、少なくとも、一方の係止部は、長孔を有し、
先端部にベースに設けた雌ネジに螺合する雄ネジを有し、前記長孔を介して締め付けて前記ベースに取り付けるボルトを備えている
ことを特徴とする請求項１記載の鏡筒保持用治具。
【発明の詳細な説明】
【技術分野】
【０００１】
本発明は、鏡筒保持用治具に係り、特に、鏡筒の水平方向の移動と垂直方向の移動を阻止して、鏡筒を良好に保持することができる鏡筒保持用治具に関する。
【背景技術】
【０００２】
従来、鏡筒を保持する鏡筒保持用治具としては、例えば、鏡筒の外周の下方部を相対する一対の支持部材の先端で直線状に挟持して支持している。
かかる鏡筒保持用治具にあっては、鏡筒の挟持方向の移動には有効である。
【発明の開示】
【発明が解決しようとする課題】
【０００３】
しかしながら、鏡筒の挟持方向以外の水平方向、垂直方向等への鏡筒の移動阻止には、不十分であるという問題点が生じた。
【０００４】
本発明は、上記の問題点を除去するようにした鏡筒保持用治具を提供することを目的とする。
【課題を解決するための手段】
【０００５】
本発明の鏡筒保持用治具は、鏡筒を保持する鏡筒保持用治具であって、前記鏡筒は、円筒形状の外周にＮ個（Ｎ≧３）の突起を有するものであり、前記突起は、前記外周に、３６０°／Ｎの角度に、離間して配置され、鏡筒の端部を載置するベースと、このベースに設けられ、前記突起に係止する２個の係止部と、この２個の係止部は、前記突起に係止するように、前記ベース上に、３６０°／Ｎの角度に、離間して配置され、前記突起に係止する前記２個の係止部の部位は、それぞれ、下面であって、外方に向かって上り勾配となる傾斜面である。
【０００６】
また、請求項２記載の鏡筒保持用治具は、請求項１記載の鏡筒保持用治具において、２個の係止部の内、少なくとも、一方の係止部は、取り外し自在な固定手段によりベースに取り付けられるものである。
【０００７】
また、請求項３記載の鏡筒保持用治具は、請求項１記載の鏡筒保持用治具において、２個の係止部の内、少なくとも、一方の係止部は、長孔を有し、先端部にベースに設けた雌ネジに螺合する雄ネジを有し、前記長孔を介して締め付けて前記ベースに取り付けるボルトを備えているものである。
【発明の効果】
【０００８】
請求項１記載の鏡筒保持用治具によれば、鏡筒の突起に係止する２個の係止部の部位は、それぞれ、下面であって、外方に向かって上り勾配となる傾斜面であるため、水平方向の移動と垂直方向の移動を阻止して、鏡筒を保持することができる。
【発明を実施するための最良の形態】
【０００９】
本発明の鏡筒保持用治具の一実施例を図面を参照して説明する。
図１乃至図８において、１は鏡筒２を保持する鏡筒保持用治具で、鏡筒保持用治具１は、例えば、鏡筒２を保持した状態で、鏡筒２内にレンズ３を組み込む際に使用される。
鏡筒２は、円筒形状の外周にＮ個（Ｎ≧３）の突起２１を、本実施例のものは、例えば、図１に示すように、４個有している。そして、突起２１は、円筒形状の外周に、鏡筒２の中心から３６０°／Ｎの角度毎に、離間して配置され、例えば、本実施例のものは、鏡筒２の中心から９０°等角度離間して配置されている。
なお、Ｎは、円筒形状の外周に設けられた突起２１の数であり、本発明の鏡筒保持用治具１の対象となる鏡筒２の突起２１の数は、３個以上であって、該突起２１は円筒形状の外周に等角度で配置、つまり、突起２１が３個の場合、１２０°毎に、また、４個の場合、９０°毎に、等角度でそれぞれ配置されるようする。
【００１０】
１１は、鏡筒２の端部を載置するベースで、ベース１１は平坦面を形成している。このベース１１には、突起２１、２１に係止する２個の係止部１２、１２が設けられている。
この２個の係止部１２、１２は、突起２１、２１に係止するように、ベース１１上に、突起２１、２１に係止した状態の鏡筒２の中心から３６０°／Ｎの角度に、離間して配置され、例えば、本実施例のものは、ベース１１上に、突起２１、２１に係止した状態の鏡筒２の中心から９０°等角度離間して配置されている。
【００１１】
突起２１、２１に係止する２個の係止部１２、１２の部位は、図５及び図７に示すように、それぞれ、下面であって、外方に向かって上り勾配となる傾斜面１２ａ、１２ａとなっている。
また、係止部１２は、取り外し自在な固定手段によりベース１１に取り付けられる。取り外し自在な固定手段は、たとえば、係止部１２に設けた長孔１２ｂを介してベース１１に取り付けるボルト１６を有している。ボルト１６は、図８に示すように、先端部にベース１１に設けた雌ネジ１１ａに螺合する雄ネジ１６ａを有し、長孔１２ｂを介して締め付けてベース１１に取り付けるようにしている。
なお、取付部１４は、図８に示すように、ベース１１に設けられた雌ネジ１１ｂに螺合する雄ネジ１３によりベース１１に取り付けられている。取付部１４は、係止部１２のガイドとしての機能を有する。つまり、係止部１２は、取付部１４をガイド（定規）として、移動することができるる
係止部１２、１２は、上述のような構成となって、何れも、長孔１５を介して、移動自在に形成されているが、本発明にあっては、係止部１２、１２の内、何れか一方の係止部１２が移動自在になるように構成されていれば良い。
【００１２】
従って、鏡筒保持用治具１を使って、鏡筒２を保持するには、図３に実線で示す鏡筒２を破線の位置へ移動させ、一方の係止部１２の傾斜面１２ａに突起２１を係止させる（図４及び図５参照）。次に、残りの他の係止部１２を図２に示す矢印方向に移動させて、該残りの他の係止部１２の傾斜面１２ａに突起２１を係止させ、その状態を保持するために、ベース１１に設けた雌ネジ１１ａに雄ネジ１６ａを螺合させた状態で、ボルト１６を回転させて、長孔１２ｂを介して締め付けて、係止部１２を取付部１４に固定する（図６乃至図８参照）。
固定後、鏡筒２内にレンズ３を組み込む等の作業を行う。該作業が終了すると、ボルト１６を緩め、係止部１２を図２に示す矢印方向と反対方向に移動させて、鏡筒２の保持状態を解除することができる。
【００１３】
その結果、本実施例の鏡筒保持用治具１によれば、鏡筒２の突起２１に係止する２個の係止部１２、１２の部位は、それぞれ、下面であって、外方に向かって上り勾配となる傾斜面１２ａ、１２ａであるため（図５及び図７参照）、鏡筒２の水平方向の移動と垂直方向の移動を阻止して、鏡筒２を良好に保持することができる。
【００１４】
なお、取り外し自在な固定手段は、上述した係止部１２に設けた長孔１２ｂを介してベース１１に取り付けるボルト１６に限らず、図示しないが、例えば、ベース１１を鉄等の強磁性体で形成し、係止部１２を磁石で形成して、磁力による固定手段としても良く、また、係止部１２の移動する両側にそれぞれガイドを設け、このガイドにより係止部１２の鏡筒２の突起２１側への移動を許容すると共に、係止部１２の上下方向の移動を規制し、係止部１２を弾性部材（例えば、バネ）により鏡筒２の突起２１側へ付勢するようにして、係止部１２をベース１１に固定するようにしても良い。
【図面の簡単な説明】
【００１５】
【図１】図１は、本発明の一実施例の鏡筒保持用治具に保持される鏡筒の概略的斜視図である。
【図２】図２は、図１の鏡筒を保持した鏡筒保持用治具の概略的斜視図である。
【図３】図３は、図２の鏡筒を保持する前後の状態の概略的平面図である。
【図４】図４は、図３の鏡筒を一方の係止部に係止させ、他方の係止部に係止させる前の状態を示す概略的平面図である。
【図５】図５は、図４の矢印Ａ方向から見た概略的図である。
【図６】図６は、図４の鏡筒を他方の係止部に係止させた状態を示す概略的平面図である。
【図７】図７は、図６の矢印Ｂ方向から見た概略的図である。概略的側面図である。
【図８】図８は、図６のＣ−Ｃ線による概略的断面図である。
【符号の説明】
【００１６】
１    鏡筒保持用治具
２    鏡筒
11    ベース
12    係止部
12a   傾斜面
21    突起
【図１】
0004615407.tif 000002
【図２】
0004615407.tif 000003
【図３】
0004615407.tif 000004
【図４】
0004615407.tif 000005
【図５】
0004615407.tif 000006
【図６】
0004615407.tif 000007
【図７】
0004615407.tif 000008
【図８】
0004615407.tif 000009